(57)【要約】【課題】処理胴（６）による処理の能率性を損なうことなく二番ロスや三番ロスを低減させて、穀稈の脱粒や、穀粒の選別及び収集を効率的に行わせる。【解決手段】網枠板（５５）を前後及び上下の４つの辺部と、前後辺部の長さ途中を橋渡し状に結合した比較的細幅の前後向きの中間辺部（５５ｇ）とを有するものとなし、一方では処理網（５３）の弧状内面上で中央仕切板（７６）と後端仕切板（７８）との略中間位置の周方向箇所に後寄りの付加仕切板（７７）を配置し、この付加仕切板（７７）の両端部の外周縁箇所を網枠板（５５）の上下の辺部に、そしてこの付加仕切板（７７）の長さ途中部位の外周縁箇所を中間辺部（５５ｇ）に固着した構成となす。【選択図】　　　　図１０
2004073039.tif 000002
【特許請求の範囲】
【請求項１】
処理胴の周面に沿ってこの周面を覆う処理網と、この処理網の外周面に当接してこの処理網の外周囲を支持する網枠板とを具備し、前記処理網の弧状内周面の前後長さ略中央位置の周方向箇所に中央仕切板を、そして前記弧状内面の後端縁の周方向箇所に後端仕切板を設けたものとなされた処理網体を備えた脱穀装置の処理室において、前記網枠板を前後及び上下の４つの辺部と、前後辺部の長さ途中部位を橋渡し状に結合した比較的細幅の前後向きの中間辺部とを有するものとなし、一方では前記弧状内面上で前記中央仕切板と後端仕切板との略中間位置の周方向箇所に後寄りの付加仕切板を配置し、この付加仕切板の両端部の外周縁箇所を前記網枠板の上下の辺部に、そしてこの付加仕切板の長さ途中部位の外周縁箇所を前記中間辺部に固着したことを特徴とする脱穀装置の処理室構造。
【請求項２】
前記処理網体の弧状内面上で処理網体の前端位置と前記中央仕切板との略中間となる位置の周方向箇所に前寄りの付加仕切板を配置し、この前寄り付加仕切板の両端部の外周縁箇所を前記網枠板の上下の辺部に、そしてこの付加仕切板の長さ途中部位の外周縁箇所を前記中間辺部に固着したことを特徴とする請求項１記載の脱穀装置の処理室構造。
【請求項３】
前記中間辺部が１つのみ形成されており、その位置が前記処理胴の回転中心軸の真横よりも数ｃｍ下方に位置されていることを特徴とする請求項１又は２記載の脱穀装置の処理室構造。
【請求項４】
前記処理網を横線部材と縦線部材とで方形網目の形成されたものとなすと共に、前記付加仕切板を前記弧状内面の周方向へ一列に並んだ各方形網目の前後方向長さの略中央に位置させ、前記各方形網目の透過範囲が前記付加仕切板により前後に区分されていることを特徴とする請求項１、２又は３記載の脱穀装置の処理室構造。
【請求項５】
前記付加仕切板が平板状となされ、両端部の外周縁箇所と、長さ途中部位の外周縁箇所とを前記処理網の網目を通過させるように外方へ突出させて前記網枠板の内面に固着させた構成であることを特徴とする請求項１、２、３又は４記載の脱穀装置の処理室構造。
【請求項６】
前記付加仕切板の長さ途中部位の外周縁箇所に前記中間辺部の嵌入される凹み部を形成し、一方では前記中間辺部の上下端縁を外方に折り曲げてこの箇所に対応する前記弧状内面部分と直交する縁面部を形成し、この縁面部と凹み部とを固着したことを特徴とする請求項１、２、３、４又は５記載の脱穀装置の処理室構造。
【請求項７】
前記付加仕切板の長さ途中部位の外周縁箇所に前記中間辺部と前記処理網の横線部材とが嵌入される凹み部を形成し、一方では前記中間辺部の上下端縁を外方に折り曲げてこの箇所に対応する前記弧状内面部分と直交する縁面部を形成し、この縁面部と凹み部とを固着したことを特徴とする請求項１、２、３、４又は５記載の脱穀装置の処理室構造。
【請求項８】
前記処理網体が着脱自在な独立構造のものであって、前記処理胴の周面を覆う固定室壁に装設された左右一対の押圧爪の押圧力が前記網枠体の上辺部の前後端近傍部に付与されることにより前記固定室壁に圧接固定されるほか、前記付加仕切板により剛性を増大された構成であることを特徴とする請求項１、２、３、４、５、６又は７記載の脱穀装置の処理室構造。
【請求項９】
前記処理胴の周面を覆う固定状の処理室壁の内面箇所で前記付加仕切板と同じ前後方向位置に藁屑を切断するための切刃を設けたことを特徴とする請求項１、２、３、４、５、６、７又は８記載の脱穀装置の処理室構造。
【発明の詳細な説明】
【０００１】
【産業上の利用分野】
本発明は、単独で使用されたりコンバインの一部として使用される脱穀装置の処理室構造に関する。
【０００２】
【従来の技術】
処理胴の周面に沿ってこの周面を覆う処理網と、この処理網の外周面に当接してこの処理網の外周囲を支持する網枠板とを具備し、前記処理網の弧状内周面の前後長さ略中央位置の周方向箇所に中央仕切板を、そして前記弧状内面の後端縁の周方向箇所に後端仕切板を設けたものとなされた処理網体を備えた脱穀装置は既に出願人により製造されている。
【０００３】
なお、参考公知文献として、実開昭５６−１４４６号公報、及び、実開昭５８−１２３９号公報などがある。
【０００４】
【発明が解決しようとする課題】
上記した脱穀装置においては、扱室で十分に脱粒されなかった未処理粒や藁屑が処理室の前部から流入し、処理室内では処理胴の回転送り作用などにより後側へ向け螺旋状に流動するが、この流動過程で、藁屑などは前記中央仕切板や前記後端仕切板によりその流動に抵抗を付与されて、前記中央仕切板や前記後端仕切板の上流側の近傍箇所で一時的に滞留され、この滞留中に単粒化や穀粒選別を促進されるのであり、これにより処理室内の穀粒や小さな藁屑は処理網体の網目を通じて特定場所に落下し、一方、大きな藁屑などは処理室の後部から別の特定場所に落下する。
【０００５】
ところが、中央仕切板の上流側の近傍箇所に停滞した一群の藁屑などは処理胴の回転により揉まれて膨軟化され微細化されるなどして軽量化されるため、中央仕切板を通過した後は、一般に中央仕切板から後端仕切板に至る範囲の藁屑などに対する流動抵抗が不足気味となり、藁屑などは比較的速く処理室内を後方へ移動して、十分な処理を受けないまま処理室後部から流出する現象が生じ、二番ロスや三番ロスを増大させるのである。
【０００６】
本発明は斯かる実情に対処せんとするもので、即ち、中央仕切板から後端仕切板に至る範囲の藁屑などの流動抵抗を適当に大きくなして、処理室内での藁屑などの処理を合理的に行わせることのできる脱穀装置の処理室構造を提供することを目的とする。
【０００７】
【課題を解決するための手段】
上記目的を達成するため、本発明の脱穀装置における処理室構造では、請求項１に記載したように、処理胴の周面に沿ってこの周面を覆う処理網と、この処理網の外周面に当接してこの処理網の外周囲を支持する網枠板とを具備し、前記処理網の弧状内周面の前後長さ略中央位置の周方向箇所に中央仕切板を、そして前記弧状内面の後端縁の周方向箇所に後端仕切板を設けたものとなされた処理網体を備えた脱穀装置の処理室において、前記網枠板を前後及び上下の４つの辺部と、前後辺部の長さ途中部位を橋渡し状に結合した比較的細幅の前後向きの中間辺部とを有するものとなし、一方では前記弧状内面上で前記中央仕切板と後端仕切板との略中間位置の周方向箇所に後寄りの付加仕切板を配置し、この付加仕切板の両端部の外周縁箇所を前記網枠板の上下の辺部に、そしてこの付加仕切板の長さ途中部位の外周縁箇所を前記中間辺部に固着した構成となす。
【０００８】
これによれば、後寄りの付加仕切板が中央仕切板を乗り越えた藁屑などに適当な流動抵抗を付与することにより、当該付加仕切板の上流側の近傍箇所に滞留を生じさせて適当な揉み作用を付与し、効果的に、その藁屑などに含まれる穀粒を単粒化処理したり藁屑からの穀粒の分離性を向上させる。この結果、処理室内の穀粒は処理網体の後半範囲で処理網体の網目を通じて特定場所に効率的に落下される。
また後寄りの付加仕切板は両端部の外周縁箇所と、長さ途中部位の外周縁箇所とを前記網枠板に強固に支持されるほか、前記網枠枠板の特に後半部の剛性を前記中間辺部を介して大きく増大させるものとなる。
【０００９】
上記発明は次のように具体化することができる。
即ち、請求項２に記載したように、前記処理網体の弧状内面上で処理網体の前端位置と前記中央仕切板との略中間となる位置の周方向箇所に前寄りの付加仕切板を配置し、この前寄りの付加仕切板の両端部の外周縁箇所を前記網枠板の上下の辺部に、そしてこの付加仕切板の長さ途中部位の外周縁箇所を前記中間辺部に固着した構成となす。
【００１０】
これによれば、前寄りの仕切板が扱室から流入した藁屑などに適当な流動抵抗を付与することにより、当該前寄りの付加仕切板の上流側の近傍箇所に滞留を生じさせて揉み作用を付与し、効果的に、その藁屑などに含まれる穀粒を単粒化処理したり藁屑からの穀粒の分離性を向上させる。この結果、処理室内の穀粒は処理網体の前半範囲で処理網体の網目を通じて特定場所に効率的に落下される。
そして前記前寄りの付加仕切板は両端部の外周縁箇所と、長さ途中部位の外周縁箇所とを前記網枠板に強固に支持されるほか、前記網枠枠板の特に前半部の剛性を前記中間辺部を介して大きく増大させるものとなる。
【００１１】
また請求項３に記載したように、前記中間辺部が１つのみ形成されており、その位置が処理胴の回転中心軸の真横よりも数ｃｍ下方に位置されている構成となす。これによれば、前記処理網の有効選別面積は前記中間辺部により大きく減少されることのないものとなり、また前記中間辺部が前記処理室内で処理される藁屑などから比較的大きい荷重を付与される箇所に位置してその負荷に効果的に対抗し、前記網枠板の変形などを阻止するものとなる。
【００１２】
また請求項４に記載したように、前記処理網を横線部材と縦線部材とで方形網目の形成されたものとなすと共に、前記付加仕切板を前記弧状内面の周方向へ一列に並んだ各方形網目の前後方向長さの略中央に位置させ、前記各方形網目の透過範囲が前記付加仕切板により前後に区分されている構成となす。これによれば、前記付加仕切板で前後に区分された前記透過範囲の各側に透過部分が形成され、この透過部分が前記処理網の有効選別面をなすものとなるほか前記付加仕切板の外周部近傍に位置した藁屑などを透過させるものとなる。
【００１３】
また請求項５に記載したように、前記付加仕切板が平板状となされ、両端部の外周縁箇所と、長さ途中部位の外周縁箇所とを前記処理網の網目を通過させるように外方へ突出させて前記網枠板の内面に固着させたものとなされた構成となす。これによれば、前記付加仕切り板が平板状であるため前記処理網の有効選別面の減少を抑制するものであり、また前記処理網を変形させることなく前記網枠板の内周面に固着されるものとなる。
【００１４】
また請求項６に記載したように、前記付加仕切板の長さ途中部位の外周縁箇所に前記中間辺部の嵌入される凹み部を形成し、一方では前記中間辺部の上下端縁を外方に折り曲げてこの箇所に対応する前記弧状内面箇所と直交する縁面部を形成し、この縁面部と凹み部とを固着した構成となす。
これによれば、前記凹み部のうち前記弧状内面の半径方向へ向かう箇所が前記弧状内面の半径方向及び前後方向に沿った縁面部に固着されるようになるため、前記付加仕切板はこれの内側端部に付与される藁屑などからの前後方向の力に対して強力に対抗するものとなる。また前記中間辺部の上下端縁を外方に折り曲げたことは前記中間辺部をこれに作用する前後方向に交差した方向の力に対する剛性を増大させるものとなり、また前記中間辺部の上下端縁に折り曲げにより形成された円弧部がここに衝突する穀粒を円滑に案内して穀粒が損傷するのを阻止するものとなる。
【００１５】
また請求項７に記載したように、前記付加仕切板の長さ途中部位の外周縁箇所に前記中間辺部と前記処理網の横線部材とが嵌入される凹み部を形成し、一方では前記中間辺部の上下端縁を外方に折り曲げてこの箇所に対応する前記弧状内面部分と直交する縁面部を形成し、この縁面部と凹み部とを固着した構成となす。
これによれば請求項６記載の発明の場合の作用が得られるほかに、次のような作用が得られるのであって、即ち、前記中間辺部の内周面上に前記処理網の横線部材が位置していても、前記付加仕切板の長さ途中部位の外周縁箇所を前記中間辺部に支障なく固着させることができるものとなる。
【００１６】
また請求項８に記載したように、前記処理網体が着脱自在な独立構造のものであって、前記処理胴の周面を覆う固定室壁に装設された左右一対の押圧爪の押圧力が前記網枠体の上辺部の前後端近傍部に付与されることにより前記固定室壁に圧接固定されるほか、前記付加仕切板により剛性を増大された構成となす。これによれば、前記処理網体を前記固定室壁に固定させた状態での前記処理網体の振動や変形が生じ難いものとなって支障のない脱穀処理が行えるようになるほか、前記処理網体を前記固定室壁から取り外した単独状態での前記処理網体の変形が生じ難いものとなって前記処理網体を能率的に保守管理することが可能となる。
【００１７】
さらには請求項９に記載したように、前記処理胴の周面を覆う固定状の処理室壁の内面箇所で前記付加仕切板と同じ前後方向位置に藁屑を切断するための切刃を設けた構成となす。これによれば、前記切刃が前記付加仕切板の上流側に滞留した藁屑などの回転流動を妨げるものとならず、また藁屑に混入している穀粒を損傷させ難いものとなり、さらには前記付加仕切板の上流側の近傍に滞留した比較的高密度の藁屑を効果的に切断し細片化するものとなる。
【００１８】
【実施例】
以下、本発明の実施例を図面に基づいて詳述する。図１はコンバイン全体の左側面図、図２は同右側面図、図３は同平面図であり、図中（１）は走行クローラ（２）に支持された機台、（３）はフィードチェン（４）を左側に張架し扱胴（５）及び処理胴（６）などを内蔵する脱穀装置、（７）は刈刃及び穀稈搬送機構などを備える刈取部、（８）は脱穀後の排藁を排藁チェン（９）を介して搬入される排藁処理部、（１０）はコンバインの各部を駆動するエンジン（１１）を内蔵するエンジン部、（１２）は脱穀装置（３）から揚穀筒（１３）により搬入される穀粒を貯留する籾タンク、（１４）は運転席（１５）及び運転操作部（１６）を備える運転台であり、刈取部（７）で穀稈を刈取り、脱穀装置（３）で脱穀処理するように構成している。
【００１９】
また、前記籾クンク（１２）内の籾は籾排出オーガ（１７）により外方へ排出されるものとなされており、籾排出オーガ（１７）は縦向きオーガ（１８）と横向きオーガ（１９）を備えている。そして、縦向きオーガ（１８）は機台（１）に起立状且つ特定軸線（２０）回りの回動可能に装設されており、前記籾タンク（１２）はこの縦向きオーガ（１８）にヒンジ機構を介して支持され且つ縦向きオーガ（１８）回りへの揺動可能となされている。
【００２０】
また、図４にも示すように、図中（２１）は機体の前後方向に軸架する軸流型の扱胴（５）を内設した扱室、（２２）は前記扱室（２１）に穀稈を挿入する扱口、（２３）は扱室（２１）下方に張架させるクリンプ網、（２４）は揺動リンク（２５）（２６）を介して前後方向に揺動自在に支持する揺動選別盤であり、前記クリンプ網（２３）下方に位置させるフィードパン（２７）と、前記クリンプ網（２３）後部及び排塵口（２８）の下方に位置させる横桟であるチャフフィン（２９）と、このチャファイン（２９）後方に配設するストローラック（３０）と、前記フィン（２９）下方に配設するグレンシーブ（３１）と、前記ストローラック（３０）下方に配設する二番流穀板（３２）とで構成されている。
【００２１】
また、図中（３３）は前記選別盤（２４）方向に選別風を送給する選別用ファン、（３４）は前記揚穀筒（１３）に連通させて前記籾タンク（１２）に穀粒を取出す一番スクリューコンベア、（３５）は二番物を前記揺動選別盤（２４）に還元する二番スクリューコンベア、（３６）は二番還元口、（３７）は前記ストローラック（３０）上方に配置された吸排塵用横断流ファンであり、前記扱胴（５）及び処理胴（６）により脱穀された穀粒を揺動選別盤（２４）で選別し一番粒のみを前記籾タンク（１２）に取出すと共に、排藁を排藁チェン（９）を介し排藁カッタ（３８）（３９）を有する排藁処理部（８）に送り込んで切断後、機外に排出させるように構成している。
【００２２】
排藁処理部（８）のカッタ（３８）（３９）及びこれを包囲したカバー（４０）及び該カバー（４０）に支持された吸排塵用横断流ファン（３７）は該カバー（４０）の右側部の縦支点軸（４１）回りへの揺動可能となされており、これらが図３中の仮想線（４２）で示すように揺動変位された状態では、上下左右の固定室壁（３ａ）（３ｂ）（３ｃ）（３ｄ）で囲まれた図４に示す穀粒処理空間（４３）の後端面には後面視四角状の開口（４４）が作業者の近寄れる状態に解放される構成となされている。
【００２３】
図５に示すように、前記籾タンク（１２）の左側に面した脱穀装置（３）の右側固定室壁（３ｄ）に、二番スクリューコンベア（３５）により脱穀装置（３）からこの右側に取出される二番物を前記二番還元口（３６）に搬送する二番還元用のスクリューコンベア筒（４５）が取り付けられ、このスクリューコンベア筒（４５）のさらに外側に前記揚穀筒（１３）が立設されている。
【００２４】
そして、前記右側固定室壁（３ｄ）の一部は右側へ膨出した状態となされて、前記処理胴（６）の内設される処理室（４６）の右側部分を包囲した箱状室壁部（３ｄ１）となされている。（４７）は箱状室壁部（３ｄ１）の内面に配置された送塵弁であって、図６に示すように前後方向へ複数設けられている。各送塵弁（４７）は前後向き面部（４７ａ）とこれに直交した横向き面部（４７ｂ）とからなり、下部を箱状室壁部（３ｄ１）に固定された支軸部材（７３）で揺動変位可能に支持され、この支軸部材（７３）よりも上側部位に、箱状室壁部（３ｄ１）に形成された円弧状透孔（７４）に挿通された入力軸部材（７５）の内方端を固定したものとなされている。各入力軸部材（７５）は箱状室壁部（３ｄ１）の外面側に配置した図７に示す前後向き板（７６）で連動連結されており、全ての送塵弁（４７）はこの前後向き板（７６）に任意大きさの前後変位を付与することで、支軸部材（７３）回りの任意な特定角度位置へ揺動変位されるようになされている。
【００２５】
図４、図５及び図８に示すように、（２１）は扱胴軸（５ａ）の後端側を枢支させる扱室であり、この扱室（２１）の後壁（４８）の下縁は、扱胴軸（５ａ）を中心とするＲ状（４８ａ）に形成して、後壁（４８）の下縁中央部より両側部を高くしてあり、また前記後壁（４８）は、右側縁が脱穀装置（３）の右側固定室壁（３ｄ）に、そして左側縁が脱穀装置（３）の左側固定室壁（３ｃ）に一体連結された両持ち構造で支持されている。
【００２６】
前記後壁（４８）には、脱穀後の排藁を扱室（２１）から排出するための排出口（４８ｂ）が左側縁から切込み状に形成されると共に、前記処理胴（６）に干渉する後壁（４８）の右側高さ途中箇所に半円状の凹部（４８ｃ）が形成されている。
【００２７】
図４、図８乃至図１０に示すように、前記箱状室壁部（３ｄ１）の前面部（４９ａ）と後面部（４９ｂ）間に処理胴（６）が扱胴（５）と平行に配設され、回転中心軸（６ａ）を介して処理室（４６）内部での回転自在に枢支されている。
この処理胴（６）は周面の前部に螺旋羽根（６ｂ）を固着され、この螺旋羽根（６ｂ）の後側となる周面に多数の処理爪（６ｃ）を特定ピッチで突設されている。そして、箱状室壁部（３ｄ１）の内側面は脱穀装置（３）内の中央側へ向けて開放されており、さらに詳細には、扱室（２１）の後壁（４８）より前側の処理室（４６）内側面が送塵口（５０）を介して扱室（２１）の後端部右側に開放され、扱室（２１）の後壁（４８）より後側の特定長さ範囲の処理室（４６）内側面が処理網体（５１）で覆われ、処理室（４６）後部内側面が前記選別盤（２４）のストローラック（３０）上方に排塵口（５２）を介して開放されている。
【００２８】
前記処理網体（５１）は処理胴（６）の周面に沿うように配置された後面視円弧状のクリンプ網からなる処理網（５３）と、これを固定された枠部材（５４）と、処理網（５３）の内面に固定された３つの仕切板（中央仕切板（７６）、後寄り付加仕切板（７７）、後端仕切板（７８））からなっている。
【００２９】
処理網（５３）は横線部材（５３ａ）と縦線部材（５３ｂ）とで方形網目を形成したものとなされている。枠部材（５４）は網枠板（５５）と、この網枠板（５５）の外周囲を支持した図１３に示す方形枠台（７９）からなっている。網枠板（５５）は図１１及び図１２に示すように前後及び上下の各辺部を有すると共に前後辺部の長さ途中箇所で処理胴の回転中心軸の高さよりも数ｃｍ程度低い箇所を橋渡し状に結合した比較的細幅の前後向き中間辺部（５５ｇ）を設けることにより２つの比較的大きな方形状の透孔（５５ａ）（５５ｂ）を有するものとなしてある。網枠板（５５）には図１４に示すように処理網（５３）の横線部材（５３ａ）と縦線部材（５３ｂ）との端部を２種の押え板（８０ａ）（８０ｂ）を介して止着させている。方形枠台（７９）は図１３に示すように、２つの横向き板部材（７９ａ）（７９ｂ）と、これらの左右端部を結合した一対の弧状結合板（５６）（５６）と、各弧状結合板（５６）（５６）の下端に固着された半円弧状の嵌合部材（６３）（６３）とからなっている。この際、前記網枠板（５５）の左右端部（５５ｃ）（５５ｃ）の外面を一対の弧状結合板（５６）（５６）の内端面（５６ａ）に固着させ、前記網枠板（５５）の上辺部（５５ｄ）の内面（ａ）を横向き部材（７９ａ）の外面（ａ１）に固着させ、前記網枠板（５５）の下辺部（５５ｅ）の外面（ｂ）を横向き部材（７９ｂ）の内面（ｂ１）に固着させている。
【００３０】
中央仕切板（７６）は弧状前後向き面部（７６ａ）と弧状左右向き面部（７６ｂ）とを具備したもので、図１４に示すように処理網（５３）の弧状内面上で網枠板（５５）の前後長さ略中央位置の周方向箇所に合致させて位置させると共に弧状前後向き面部（７６ａ）を押え板（８０ｂ）と同様な固定金具（８１）を介して処理網（５３）の横線部材（５３ａ）に固定し、弧状左右向き面部（７６ｂ）を前記弧状内面の半径面に沿わせている。後寄り付加仕切板（７７）は図１６に示すような弧状の板部材からなり、各端部及び長さ途中部位に外方への突出部（７７ａ）（７７ｂ）（７７ｃ）を具備し、長さ途中部位の突出部（７７ｂ）に凹み部（７７ｄ）を形成したものとなされている。この後寄り付加仕切板（７７）は図１４及び図１５に示すように処理網（５３）の弧状内面上で網枠板（５５）の前後長さ中央位置と後端位置との略中間となる位置の周方向箇所に合致させて前記弧状内面の半径面に沿わせるように位置させると共に、２つの突出部（７７ａ）（７７ｃ）の外周端縁を処理網（５３）の方形網目の透過範囲を通じて網枠板（５５）の内面の上下箇所に固着させるほか、突出部（７７ｂ）の凹み部（７７ｄ）を処理網（５３）の横線部材（５３ａ）と網枠板（５５）の中間辺部（５５ｇ）とに外嵌させると共に凹み部（７７ｄ）の周縁部分で処理網（５３）弧状内面の半径方向に沿った図１２に示す箇所（ｍ１）を、中間辺部（５５ｇ）の上下端縁を外方へ折り曲げて形成されたものでこの折り曲げ箇所に対応する処理網（５３）弧状内面部分に直交した図１９に示す縁面部（ｍ２）に固着させたものとなされており、網枠板（５５）の剛性を高める上でも寄与している。後端仕切板（７８）は弧状の板部材からなるもので、図７及び図１０に示すように網枠板（５５）の後端縁の左右向き面（５５ｆ）の周方向箇所に前記弧状内面の半径面に沿うように固定されている。
【００３１】
この際、図７、図１０及び図１５に示すように、中央仕切板（７６）の周方向の全長の大部分と、後端仕切板（７８）の周方向の全長の大部分とが、処理網（５３）の弧状内面から処理胴（６）の処理爪（６ｃ）の隣接間の比較的深い位置に達するような特定高さ（ｈ１）まで突出されており、また後寄り付加仕切板（７７）の周方向の全長の大部分は処理網（５３）の弧状内面から処理爪（６ｃ）の隣接間の比較的浅い位置に達するような特定高さ（ｈ２）まで突出されている。また付加仕切板（７７）は処理網（５３）の弧状内面の周方向へ一列に並んだ各方形網目の前後方向長さの略中央に位置させ、各方形網目の透過範囲が付加仕切板（７７）により前後に区分された状態となすのであり、前後各側の透過範囲は単一の穀粒が通過し得る面積となすのがよい。
【００３２】
図１０中、（８２）は処理網（５３）の前端縁を覆うための覆い板で、図２１に示すような弧状板となされ、図１７に示すように網枠板（５５）の前端縁の左右向き面（５５ｆ）の周方向箇所に固着されている。
【００３３】
そして、図１３に示すように、方形枠台（７９）の２つの横向き板部材（７９ａ）（７９ｂ）のそれぞれの長さ中央の内側面（ａ２）（ｂ１）には、円錐周面部を具備した右向きの位置決め突起（６０）（６１）を固設されている。一方、図７及び図９に示すように、前記右側固定室壁（３ｄ）の一部で横向き板部材（７９ａ）（７９ｂ）が当接される処理室上側部位（３ｄ２）と処理室下側部位（３ｄ３）には前記位置決め突起（６０）（６１）が嵌入される円形孔（６４）が形成されている。
【００３４】
図６及び図７中、（８４）は箱状室壁部（３ｄ１）の下面部に形成されたスリットを通じて下方から処理室内に突出された切刃で、処理網体（５１）と正対する位置の処理爪（６ｃ）の前後方向の隣接間の中央位置に配設されている。前後方向で隣接した２つの切刃（８４）（８４）は１つの板部材（８５）をＵ字形に屈曲して形成し、各板部材（８５）は箱状室壁部（３ｄ１）の下側に設けられた支持部材（８６）を介して箱状室壁部（３ｄ１）と同体状に固定されている。
【００３５】
また図９に示すように、後壁（４８）と後面部（４９ｂ）との間に位置した前記処理室下側部位（３ｄ３）で前記円形孔（６４）の下側箇所には前後向き丸棒軸部材（６６）が架設され、この丸棒軸部材（６６）に２つの前記嵌合部材（６３）（６３）が外嵌されるようになされている。
【００３６】
前記処理室上側部位（３ｄ２）で前記円形孔（６４）の上側箇所には前記後壁（４８）及び前記後面部（４９ｂ）に固定された軸受部材（６７）（６７）を介して前後向き支持回動軸（６８）が装着されており、この支持回動軸（６８）の長さ途中の２箇所のそれぞれに前記横向き板部材（７９ａ）及び網枠板（５５）上縁部を右側から左側へ押圧するための押圧爪（６９）（６９）を固着し、また支持回動軸（６８）の後部は前記後面部（４９ｂ）よりも後方の前記カバー（４０）の内方に延出させ、この支持回動軸（６８）の後端に操作部材（７０）を固定してこの操作部材（７０）も前記カバー（４０）内に位置させるようになし、また支持回動軸（６８）の後部にバネ受け片（７１）を固着し、このバネ受け片（７１）と操作部材（７０）との間となる支持回動軸（６８）部分にコイルバネ（７２）を外挿してこのコイルバネ（７２）の一端をバネ受け片（７１）に係止させ、コイルバネ（７１）の他端を前記後面部（４９ｂ）の適宜箇所に係止させ、コイルバネ（７１）の弾力が支持回動軸（６８）を後方視左回りへ付勢させるようになされている。
【００３７】
次に本実施例の作動や取扱い例などについて説明すると、処理胴（６）は、扱室（２１）で処理し得なかった未処理粒と共に扱室（２１）で発生した藁屑を処理するため、扱胴（５）よりも高い周速度で回転される。
【００３８】
扱室（２１）では刈取穀稈の脱穀処理が行われるが、この処理中に、処理胴（６）の螺旋羽根（６ｂ）が扱室（２１）内の未処理粒や藁屑を処理室（４６）内に掻き込んで後方へ向け移送する。そして、処理爪（６ｃ）はこの送給された藁屑などを処理室（４６）内で掻き回し、一方では送塵弁（４７）がその藁屑などに横向き面部（４６ｂ）の前後傾斜による案内作用を付与するのであり、従って藁屑などは順次に処理室（４６）内を後側へ向けて螺旋状に移動される。この移動速度は送塵弁（４７）の横向き面部（４６ｂ）の前後傾斜角度を変更することにより任意に変化されるものである。また切刃（８４）は移動中の藁屑を細断し藁屑の後方への流動性を向上させる。
【００３９】
上記のような藁屑の移動中、覆い板（８２）は藁屑などが処理網（５３）の前端縁に引っ掛かるのを阻止して藁屑などを円滑に処理室（４６）内の処理網（５３）の弧状内面の内側へ移動させる上で寄与する。また処理爪（６ｃ）は処理網（５３）の弧状内面上を移動する藁屑などを叩くように処理して藁屑などに含まれる穀粒の単粒化を促進させる。
【００４０】
そして中央仕切板（７６）は処理網（５３）の弧状内面上を移動する藁屑などに比較的大きな流動抵抗を付与し、藁屑などを当該中央仕切板（７６）の上流側の近傍に一時的に停滞させるのであり、この停滞された藁屑などは処理爪（６ｃ）により比較的長い時間に亘って揉まれて細片化され低密度化されるほか穀粒の単粒化を促進される。これにより藁屑に含まれる穀粒は処理網（５３）からの漏下を促進される。
【００４１】
このように中央仕切板（７６）の流動抵抗により細片化されて低密度化された藁屑などはやがて中央仕切板（７６）を乗り越えて処理室（４６）内を比較的速く後側へ移動されるようになるが、この後、後寄り付加仕切板（７７）がこれら藁屑などに対して中央仕切板（７６）よりも小さい適当大きさの流動抵抗を与えて、これら藁屑などを当該後寄り付加仕切板（７７）の上流側の近傍に一時的に停滞させるのであり、この停滞された藁屑などは処理爪（６ｃ）により適当時間に亘って揉まれて一層細片化され低密度化されて穀粒の単粒化や藁屑内での流動性を一層向上されるのであり、これにより処理網（５３）の後半範囲からの穀粒の漏下が一層促進される。
【００４２】
後寄り付加仕切板（７７）による流動抵抗により細片化され低密度化された藁屑などはやがて後寄り付加仕切板（７７）を乗り越えて処理室（４６）内を比較的速く後側へ移動されるようになるが、この後、後端仕切板（７８）がこれら藁屑などに対して後寄り付加仕切板（７７）よりも大きな流動抵抗を与えてこれら藁屑などを当該後端仕切板（７８）近傍の上流側に一時的に停滞させるのであり、この停滞された藁屑などはさらに処理爪（６ｃ）により揉まれ細片化され低密度化されて、穀粒の単粒化や藁屑内での流動性をさらに向上され、処理網（５３）の後半範囲からの穀粒の漏下がさらに促進される。この際、後寄り付加仕切板（７７）はこれの前面に藁屑などの流動による前後方向の力を受けるが、突出部（７７ａ）（７７ｂ）（７７ｃ）を介して網枠板（５５）により強固に支持され、特に凹み部（７７ｄ）の一部箇所（ｍ１）と縁面部（ｍ２）との固着が後寄り付加仕切板（７７）に作用する後方への曲げ力に対し効果的に対抗するものとなる。
【００４３】
こうして藁屑などに含まれた穀粒のほぼ全てが処理室（５３）内で単粒化されてチャファイン（２９）上に取り出された状態となる。そして、処理室（４６）内の後端部に達した藁屑などは排塵口（５２）を通じてストローラック（３０）上に落下する。ここに落下した藁屑などはストローラック（３０）上での飛行と落下の繰り返しによる後方移動の過程で、これに含まれている穀粒を選別落下されるのであり、ここで選別落下された穀粒は二番物として処理される。
なお、上記した各仕切板（７６）（７７）（７８）の作用の程度は送塵弁（４７）の前後傾斜角度を変更することにより被処理物である藁屑などの性状に対応した最適状態に調整し得るものである。
【００４４】
ところで、処理網体（５１）は脱穀装置（３）の使用状態では図７中の実線で示す状態に装着されているのであるが、これを取り外すときは、例えば次のように行われる。
即ち、各作動部を停止状態とした後、排藁処理部（８）のカバー（４０）を縦支点軸（４１）回りへ揺動させて図３に仮想線（４２）で示す状態とする。これにより、操作部材（７０）及び、穀物処理空間（４３）の後端面の開口（４４）が作業者の接近し得る状態に解放される。
【００４５】
次に作業者は操作部材（７０）をコイルバネ（７２）の弾力に抗して後方視右回りへ揺動操作し、押圧爪（６９）（６９）が前後向き支持回動軸（６８）回りへ略９０度回動した状態で図示しない係止部材に掛け止める。これにより、処理網体（５１）の上辺部は押圧爪（６９）（６９）による押圧や押圧爪（６９）（６９）との干渉から解放される。
【００４６】
次に前記開口（４４）を通じて手を挿入し、処理網体（５１）を持ってその上辺部を前後向き丸棒軸部材（６６）回りの左側へ揺動変位させて位置決め突起（６０）（６１）を円形孔（６４）から離脱させ、続いて前後の嵌合部材（６３）（６３）を前後向き丸棒軸部材（６６）から図７中の仮想線で示すように離脱させ、自由状態となった処理網体（５１）を前記開口（４４）を通じて穀物処理空間（４３）の外方へ取り出すようにする。
【００４７】
逆に、上記のようにして外方へ取り出された処理網体（５１）を装着して使用可能状態となすときは、例えば次のように行われる。
即ち、先と同様に、各作動部の停止状態の下で、排藁処理部（８）のカバー（４０）を縦支点軸（４１）回りへ揺動させて図３中の仮想線（４２）で示す状態とする。
【００４８】
次に作業者は前記開口（４４）を通じて、処理網体（５１）を穀物処理空間（４３）内に挿入し、前後の嵌合部材（６３）（６３）を前後向き丸棒軸部材（６６）に外嵌し、続いて処理網体（５１）を必要に応じて前後向き丸棒軸部材（６６）上で前後移動させるなどして処理網体（５１）の前後位置をその正規位置に概略位置させ、続いて処理網体（５１）を前後向き丸棒軸部材（６６）回りの右側へ揺動させる。これにより、先ず処理網体（５１）の下辺部の位置決め突起（６１）がこれに対応した円形孔（６４）に嵌挿されるのであり、この際、各位置決め突起（６０）（６１）の円錐周面部が求心作用を奏して処理網体（５１）を前後方向及び上下方向へ案内してその正規位置に合致させる。そして処理網体（５１）が略垂直状になったとき、処理網体（５１）の上辺部の位置決め突起（６０）がこれに対応した円形孔（６４）に完全に嵌挿され、この状態となった後では処理網体（５１）は２つの位置決め突起（６０）（６１）で確実にその正規位置に合致される。作業者は処理網体（５１）が正規位置に合致された状態を手で一時的に保持させる。
【００４９】
次に、作業者は他方の手により、操作部材（７０）をコイルバネ（７２）の弾力で付勢された方向、即ち後方視左回りへ凡そ９０度揺動させた後に操作部材（７０）から手を離して自由状態とする。これにより、前後の押圧爪（６９）（６９）はコイルバネ（７２）の弾力により処理網体（５１）の上辺部を右側から左側へ押圧するように作用して右側の固定壁面（３ｄ）に適当力で押圧した状態となる。この状態では、処理網体（５１）は位置決め突起（６０）（６１）を介してその位置を確実にその正規位置に合致されると共に、常にコイルバネ（７２）の弾力が押圧爪（６９）（６９）に作用するため、その正規位置を安定的に保持されるものとなる。
【００５０】
この後、前記作業者は処理網体（５１）を支えていた手を前記開口（４４）から抜き出し、排藁処理部（８）のカバー（４０）を図２に実線で示す元位置に復帰させる。
【００５１】
上記実施例は次のように変形することができる。
即ち、処理網（５３）の弧状内面上であって網枠体（５１）の前端位置と中央仕切板（７６）との略中央となる位置の周方向箇所にも、図９及び図１０中に仮想線で示すように、既述の後寄り付加仕切板（７７）に準じた前寄り付加仕切板（８３）を設けることも差し支えない。この際、前寄り付加仕切板（８３）は処理室（４６）の前半範囲内で藁屑などの流動に対して適度な抵抗を付与して処理網体（５１）の前半範囲内での穀粒の選別処理を促進させるものとなる。
【００５２】
また脱穀装置（３）はコンバインの一部をなすものであるが、これを本願発明の要旨の範囲内で適宜に変形し、独立構造の脱穀装置となすこともできる。
【００５３】
【発明の効果】
以上のように構成した本発明によれば次のような効果が得られる。
即ち、請求項１に記載のものによれば、扱室（２１）内で生じた未処理粒や穀粒を含んだ藁屑の処理室（４６）内での流動に対して後寄り付加仕切板（７７）による抵抗を付与して藁屑などの処理（穀粒の単粒化や選別処理など）を促進させることができ、これにより脱穀の能率性を損なうことなく二番ロスや三番ロスを低減させることができる。また後寄りの付加仕切板（７７）を網枠板（５５）に別の固定金具を使用することなく強固に固定させることができるほか、網枠板（５５）の特に後半部の剛性を後寄り付加仕切板（７７）及び中間辺部（５５ｇ）を介して大きく増大させることができる。
【００５４】
請求項２に記載したものによれば、扱室（２１）内で生じた未処理粒や穀粒を含んだ藁屑の処理室（４６）内での流動に対して前寄り付加仕切板（８３）による適度な抵抗を付与して藁屑などの処理を促進させることができ、これにより処理網体（５１）による選別処理を一層能率的且つ効率的となすことができる。また前寄りの付加仕切板（８３）を網枠板（５５）に別の固定金具を使用することなく強固に固定させることができるほか、網枠板（５５）の特に前半部の剛性を前寄り付加仕切板（８３）及び中間辺部（５５ｇ）を介して大きく増大させることができる。
【００５５】
請求項３に記載したものによれば、中間辺部（５５ｇ）を単一となし細巾となしたため処理網（５３）の有効選別面積の減少を抑制することができるのであり、また藁屑などを処理する際の負荷を中間辺部（５５ｇ）に効果的に負担させることができて処理網（５３）や網枠板（５５）などを変形や振動などの生じ難いものとなすことができる。
【００５６】
請求項４に記載したものによれば、付加仕切板（７７）（８３）で前後に区分された方形網目の透過範囲の各側に透過部分が形成されるため、この透過部分を処理網（５３）の有効選別面の一部となすことができるほか付加仕切板（７７）（８３）の外周部近傍に藁屑などが堆積するのを阻止することができる。
【００５７】
請求項５に記載したものによれば、付加仕切板（７７）（８３）が平板状であるため処理網（５３）の有効選別面の減少を抑制することができ、また付加仕切板（７７）（８３）を処理網（５３）の変形を要することなく網枠板（５５）の内周面に固着させることができる。
【００５８】
請求項６に記載したものによれば、付加仕切板（７７）（８３）をこれの内周縁部に付与される藁屑などからの前後方向の力に対して強力に対抗させることができ、また中間辺部（５５ｇ）の上下端縁を外方に折り曲げたことにより、前後方向と交差した方向の力に対する中間辺部（５５ｇ）の剛性を増大させることができ、さらに中間辺部（５５ｇ）の上下端縁の折り曲げにより形成された円弧部に処理室（４６）内の穀粒を損傷させることなく円滑に案内させることができる。
【００５９】
請求項７に記載したものによれば、請求項６記載の発明の場合と同様な効果が得られるほかに次のような効果が得られるのであって、即ち、中間辺部（５５ｇ）の内周面上に処理網（５３）の横線部材（５３ａ）が位置していても、付加仕切板（７７）（８３）の長さ途中部位の外周縁箇所を中間辺部（５５ｇ）に支障なく固着させることができる。
【００６０】
請求項８に記載したものによれば、処理網体（５１）を固定室壁（３ｄ）に固定させた状態での処理網体（５３）の振動や変形を生じ難いものとなして良好な脱穀処理が行えるようになすことができるほか、処理網体（５１）を固定室壁（３ｄ）から取り外した単独状態での処理網体（５１）、特に処理網（５３）の変形を生じ難いものとなして処理網体（５１）を能率的に保守管理することを可能となすことができる。
【００６１】
請求項９に記載したものによれば、切刃（８４）が付加仕切板（７７）（８３）の上流側に滞留した藁屑などの回転流動を妨げるのを回避させることができ、また付加仕切板（７７）（８３）の上流側の近傍に滞留した藁屑に混入している穀粒と切刃（８４）との衝突による穀粒の損傷を抑制することができ、さらには付加仕切板（７７）（８３）の上流側の近傍に滞留した比較的高密度の藁屑を切刃（８４）で効果的に切断し細片化させることができるのである。
【図面の簡単な説明】
【図１】コンバインの左側面図である。
【図２】前記コンバインの右側面図である。
【図３】前記コンバインの平面図である。
【図４】前記コンバインの脱穀装置の断面図である。
【図５】前記脱穀装置を後方から見た図である。
【図６】前記脱穀装置の処理室の内部を左側から見た図である。
【図７】前記処理室を後側から見た図である。
【図８】前記脱穀装置の内部を上方から見た図である。
【図９】前記処理室を左側から見た図である。
【図１０】前記脱穀装置の処理胴と処理網体との関係を示す図である。
【図１１】前記処理網体の網枠板を示す正面図である。
【図１２】前記網枠板を示す側面図である。
【図１３】前記処理網体の方形枠台を示しＡは正面図でＢは側面図である。
【図１４】前記網枠板に処理網を固定した状態を示しＡは正面視展開図でＢは底面図である。
【図１５】前記処理網体と前記処理胴との関係を示す後方視断面図である。
【図１６】前記処理網体の一部をなす付加仕切板を示す図である。
【図１７】前記処理網体を前方から見た図である。
【符号の説明】
（３）　脱穀装置
（３ｄ）　固定室壁
（６）　処理胴
（６ａ）　回転中心軸
（４６）　処理室
（５１）　処理網体
（５３）　処理網
（５３ａ）　横線部材
（５３ｂ）　縦線部材
（５４）　網枠板
（５５ｄ）　上辺部
（５５ｅ）　下辺部
（５５ｇ）　中間辺部
（６９）　押圧爪
（７６）　中央仕切板
（７７）　後寄りの付加仕切板
（７７ｄ）　凹み部
（７８）　後端仕切板
（８３）　前寄りの付加仕切板
（８４）　切刃
（ｍ１）　縁面部
（ｍ２）　箇所
【図１】
2004073039.tif 000003
【図２】
2004073039.tif 000004
【図３】
2004073039.tif 000005
【図４】
2004073039.tif 000006
【図５】
2004073039.tif 000007
【図６】
2004073039.tif 000008
【図７】
2004073039.tif 000009
【図８】
2004073039.tif 000010
【図９】
2004073039.tif 000011
【図１０】
2004073039.tif 000012
【図１１】
2004073039.tif 000013
【図１２】
2004073039.tif 000014
【図１３】
2004073039.tif 000015
【図１４】
2004073039.tif 000016
【図１５】
2004073039.tif 000017
【図１６】
2004073039.tif 000018
【図１７】
2004073039.tif 000019